(57)【特許請求の範囲】
【請求項１】
清掃用シートが装着される掃除具において、
ヘッド部と、
前記ヘッド部に連結された柄と、
前記ヘッド部に着脱自在に固定され、清掃用シートを取り付けるためのシート取付部と、
を備え、
前記ヘッド部は、前記シート取付部と嵌合する凸部又は凹部の第１嵌合部と、第１対向面を有し、
前記シート取付部は、前記ヘッド部の前記第１嵌合部と嵌合する凹部又は凸部の第２嵌合部と、前記ヘッド部の第１対向面に対向する第２対向面を有し、
前記第１嵌合部の側面部は、前記凸部から前記凹部の方向に向かうにつれて当該側面部が近づく方向に傾斜しており、
前記第２嵌合部の側面部は、前記凸部から前記凹部の方向に向かうにつれて当該側面部が近づく方向に傾斜しており、
前記ヘッド部の前記第１嵌合部と前記シート取付部の前記第２嵌合部が互いに嵌合される際に、前記ヘッド部の前記第１対向面と前記シート取付部の前記第２対向面とが、前記清掃用シートの端部を挟み込み、
前記第１対向面上に突起する突起部及び前記第２対向面に陥没し当該突起部と嵌合する穴部、又は、前記第１対向面に陥没する穴部及び前記第２対向面上に突起し当該穴部と嵌合する突起部を有し、
前記凸部は、前記突起部よりも大きいことを特徴とする掃除具。
【請求項２】
前記シート取付部の前記第２対向面にシート固定部を有すること、を特徴とする請求項１に記載の掃除具。
【発明の詳細な説明】
【技術分野】
【０００１】
本発明は、掃除具に関する。
【背景技術】
【０００２】
従来、清掃用シートを装着可能なヘッド部と、その上面に使用者が握るための柄を連結させ、床面の汚れや埃などを払拭して除去することができるようにした掃除具が知られている。特許文献１には、清掃用シートに伸張性を付与するため、その端部に切り込み条を設け、清掃用シートを伸ばしながらヘッド部の対応するシート係止部に係止させることで、清掃用シートのヘッド部への密着性を高めた掃除具が開示されている。
【先行技術文献】
【特許文献】
【０００３】
【特許文献１】特開２００８−１６１５９２
【発明の概要】
【発明が解決しようとする課題】
【０００４】
しかしながら、掃除用シートを掃除具に取り付ける際には、掃除具に連結されている柄が邪魔になり、シートを取り付けるのに時間がかかる。すなわち、シートを取り付けるときに掃除具の柄の存在が短時間での装着の妨げとなっていた。
【０００５】
本発明は、簡単にシート取り付け・交換ができる掃除具を提供することを目的とする。
【課題を解決するための手段】
【０００６】
請求項１に記載の発明は、上記目的を達成するためになされたものであり、
清掃用シートが装着される掃除具において、
ヘッド部と、
前記ヘッド部に連結された柄と、
前記ヘッド部に着脱自在に固定され、清掃用シートを取り付けるためのシート取付部と、
を備え、
前記ヘッド部は、前記シート取付部と嵌合する凸部又は凹部の第１嵌合部と、第１対向面を有し、
前記シート取付部は、前記ヘッド部の前記第１嵌合部と嵌合する凹部又は凸部の第２嵌合部と、前記ヘッド部の第１対向面に対向する第２対向面を有し、
前記第１嵌合部の側面部は、前記凸部から前記凹部の方向に向かうにつれて当該側面部が近づく方向に傾斜しており、
前記第２嵌合部の側面部は、前記凸部から前記凹部の方向に向かうにつれて当該側面部が近づく方向に傾斜しており、
前記ヘッド部の前記第１嵌合部と前記シート取付部の前記第２嵌合部が互いに嵌合される際に、前記ヘッド部の前記第１対向面と前記シート取付部の前記第２対向面とが、前記清掃用シートの端部を挟み込み、
前記第１対向面上に突起する突起部及び前記第２対向面に陥没し当該突起部と嵌合する穴部、又は、前記第１対向面に陥没する穴部及び前記第２対向面上に突起し当該穴部と嵌合する突起部を有し、
前記凸部は、前記突起部よりも大きいことを特徴とする。
【０００８】
請求項２に記載の発明は、請求項１に記載の掃除具において、
前記シート取付部の前記第２対向面にシート固定部を有することを特徴とする。
【発明の効果】
【００１１】
本発明によれば、掃除具のシート取付部からヘッド部を取り外すことができるので、清掃用シートをシート取付部に取り付けるときに柄が邪魔にならず、簡単にシート取り付け・交換ができる。
【図面の簡単な説明】
【００１２】
【図１】本発明の実施形態に係る掃除具を示す斜視図である。
【図２】本発明の実施形態に係る掃除具のヘッド部とシート取付部とを分離して示した斜視図である。
【図３】本発明の実施形態に係る掃除具への清掃用シートの装着を説明するための図である。
【図４】実施形態の変形例１に係る掃除具を示す斜視図である。
【図５】実施形態の変形例１に係る掃除具のヘッド部とシート取付部とを分離して示した斜視図である。
【図６】実施形態の変形例１に係る掃除具への清掃用シートの装着を説明するための図である。
【図７】実施形態の変形例２に係る掃除具のヘッド部とシート取付部とを分離して示した斜視図である。
【発明を実施するための形態】
【００１３】
以下、本発明の実施の形態を図面に基づいて説明する。
【００１４】
図１に示す本実施形態に係る掃除具１００は、例えば、室内などでよごれや埃などを除去する清掃作業に用いられる。
なお、以下の説明では、掃除具１００において、長手方向一端側を左側、他端側を右側とし、短手方向一端側を前側、他端側を後側とし、前後方向及び左右方向の双方に直交する方向を上下方向とする。上下方向については、柄の存在する方向を上方向とする。
【００１５】
掃除具１は例えば、図１に示すように、ヘッド部１と、ヘッド部１に連結された柄２と、ヘッド部１に着脱自在に固定されるシート取付部２０とを備えており、シート取付部２０に清掃用シート１１０が装着される。
【００１６】
ヘッド部１は略矩形状であり、上面の略中央に柄２が連結されている。ヘッド部１の下面には、短手方向の中央に長手方向に沿った凸部３が設けられ、当該凸部３を挟んで短手方向の両側には長手方向に沿った第１対向面としての底部６、７が設けられている。
【００１７】
凸部３は、長手方向及び短手方向に平行な下面部３ａと、下面部３ａの短手方向の両端部の各々と底部６、７とに連続して、下面部３ａと直交する二つの側面部３ｂとを備え、第１嵌合部として、後述するシート取付部２０の凹部２１に嵌合する。底部６、７は、それぞれ下面部３ａに平行となっている。
【００１８】
ヘッド部１は、例えば、熱可塑性樹脂（ポリエチレン（ＰＥ）、ポリプロピレン（ＰＰ）、ポリエチレンテレフタレート（ＰＥＴ）、ＡＢＳ樹脂（ＡＢＳ）、ポリスチレン（ＰＳ））で形成される。また、ヘッド部１は、木材、金属板、ゴム状板によって形成することもできる。ヘッド部３は、その全体が同じ素材でもよいし、或いは、後述するシート取付部２０との嵌合の程度を制御するために部分的にこれらの素材を組み合わせて構成してもよい。
【００１９】
柄２は、掃除具１００を使用する者が握って掃除するための部材であって、ヘッド部１に固定、または、短手方向、または短手方向および長手方向に起倒自在に取り付けられている。
【００２０】
シート取付部２０は、ヘッド部１と平面視における外形が同一の略矩形形状であり、上面には、短手方向の中央に長手方向に沿った凹部２１が設けられ、当該凹部２１を挟んで短手方向の両側には長手方向に沿って第２対向面としての突部２４、２５がそれぞれ設けられている。
【００２１】
凹部２１は、長手方向及び短手方向に平行な上面部２１ａと、上面部２１ａの短手方向の両端部の各々と突部２４、２５とに連続して、上面部２１ａと直交する二つの側面部２１ｂとを備え、第２嵌合部として、凸部３に嵌合されるようになっている。具体的には、凸部３と凹部２１とはほぼ等しい大きさに形成され、凸部３の側面部３ｂと凹部２１の側面部２１ｂとが当接してその摩擦力により嵌合状態を維持でき、その摩擦力に対向する力でヘッド部１を引き上げると、嵌合状態が解除されてヘッド部１とシート取付部２０とを分離させることができる。
【００２２】
突部２４、２５は、それぞれ上面部２１ａと平行となっている。そして、ヘッド部１の凸部３が凹部２１に嵌合される際、底部６、７と突部２４、２５とがそれぞれ当接されるようになっている。また、突部２４、２５には、シート固定部２６、２７が設けられている。シート固定部２６、２７は、例えば粘着性の部材からなり、清掃用シート１１０の端部を固定する。
【００２３】
シート取付部２０は、例えば、熱可塑性樹脂（ポリエチレン（ＰＥ）、ポリプロピレン（ＰＰ）、ポリエチレンテレフタレート（ＰＥＴ）、ＡＢＳ樹脂（ＡＢＳ）、ポリスチレン（ＰＳ））で形成される。また、シート取付部２０は、木材、金属板、ゴム状板によって形成することもできる。シート取り付け部２０は、その全体が同じ素材でもよく、ヘッド部１との嵌合の程度を制御するために部分的にこれらの素材を組み合わせて構成してもよい。
【００２４】
清掃用シート１１０は、図１に示すように、ヘッド部１の形状に合わせて長手方向に長尺な矩形状を成すように形成されている。具体的には、例えば、寸法は、一般的な３０ｃｍ×２０ｃｍサイズとなっている。清掃用シート１１０は、所定の繊維を繊維素材として、例えば、スパンレース、エアスルー、エアレイド、ポイントボンド、スパンボンド、ニードルパンチ等の周知の技術により製造される不織布である。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００２５】
次に、掃除具１００の使用方法について説明する。使用者は、まず、ヘッド部１の凸部３とシート取付部２０の凹部２１との嵌合状態を解除してヘッド部１とシート取付部２０とを分離させる。次に、図３に示すように、シート取付部２０に清掃用シート１１０を装着する。具体的には、清掃用シート１１０をシート取付部２０に巻きつけ、シート取付部２０の突部２４、２５に形成されているシート固定部２６、２７に清掃用シート１１０の短手方向の端部を当接させて、清掃用シート１１０を固定させる。次に、図３に示す状態から、ヘッド部１の凸部３とシート取付部２０の凹部２１を嵌合させる。すなわち、図３に示す状態からヘッド部１とシート取付部２０を更に近づけ、ヘッド部１の凸部３とシート取付部２０の凹部２１の嵌合を開始させ、ヘッド部１の底部６、７とシート取付部２０の突部２４、２５とで清掃用シート１１０をそれらの面間に挟み込ませながら、嵌合を終了させる。このようにして、清掃用シート１１０は掃除具１００に装着される。上記清掃用シート装着において、凸部３の側面部３ｂと凹部２１の側面部２１ｂは、ヘッド部１、シート取付部２０を嵌合させる際のガイドの役割も果たす。
【００２６】
そして、使用者は、清掃用シート１１０が装着された掃除具１００の柄を握り、清掃用シート１１０の清掃面で床面の汚れや埃などを払拭して除去する。
【００２７】
以上のような、本実施形態に係る掃除具１００によれば、掃除具１００のシート取付部２０からヘッド部１を取り外すことができるので、清掃用シート１１０をシート取り付け部２０に取り付けるときに柄２が邪魔にならず、簡単にシート取り付け・交換ができる。また、新しい清掃用シート１１０をシート取付部２０に設置した後にヘッド部１を嵌合させて対向面の間に挟み込むことで、清掃用シート１１０を確実に装着することができる。したがって、従来の掃除具と比較して、より確実にシートを装着でき、掃除中にも清掃用シート１１０がずれにくい。すなわち、シート固定部２６、２７による固定と、ヘッド部１とシート取付部２０の対向面による２重の固定により、掃除中の清掃用シート１１０がはずれたり、ずれたりすることがない。
【００２８】
なお、掃除具１００において、シート固定部２６、２７は、粘着性の部材に限定されない。例えば、針や毛状の突起部（シートを突き刺し、先端をシートから露出させる）、面ファスナーや、クリップ等を取り付ける構造としてもよい。さらに、シートの取り付け方法としては、清掃用シート１１０に伸張性を付与するため、その端部に切り込み条を設け、清掃用シート１１０を伸ばしながらシート取付部２０のシート固定部２６、２７に固定させるような構成でも良い。また、第１嵌合部と第２嵌合部は逆でも良い。すなわち、本実施形態に係る掃除具１００では、第１嵌合部は凸部３であり第２嵌合部は凹部２１であるが、第１嵌合部が凹部であり、第２嵌合部が凸部であるように構成されても良い。
【００２９】
＜変形例１＞
次に、掃除具１００の変形例１である掃除具１０１について説明する。なお、下記の説明において、掃除具１００と同一の構成については同一の符号を付し、詳細な説明は省略する。
【００３０】
変形例１の掃除具１０１は、例えば図４、図５に示すように、シート取付部２００とヘッド部１０の互いに嵌合させる部分が掃除具１０１の場合と異なっている。シート取付部２００には、穴部２８、２９が例えば各２ヶ所、設けられ、ヘッド部１０には、突起部８、９が例えば各２ケ所ずつ設けられている。図４、５において、ヘッド部１０とシート取付部２００は、ヘッド部１０の突起部８、９とシート取付部２００の穴部２８、２９とが嵌合することにより、ヘッド部１０とシート取付部２００とが一体化される。
【００３１】
また、ヘッド部１０の凸部３０の側面部４０、５０は、下方向に向かうにつれて互いに近づく方向に傾斜している。シート取付部２００の凹部２１０の側面部２２０、２３０もまた側面部４０、５０と同様に、下方向に向かうにつれて互いに近づく方向に傾斜している。それぞれの側面部はヘッド部１０、シート取付部２００を嵌合させる際のガイドの役割を果たす。
【００３２】
次に、掃除具１０１の組み立て方法を図６にて説明する。図６に示すように、シート取付部２００に清掃用シート１１０を装着する。具体的には清掃用シート１１０を巻き付ける。次に、ヘッド部１０の突起部８、９とシート取付部２００の穴部２８、２９とを嵌合させ、ヘッド部１０とシート取付部２００を更に近づけて、ヘッド部１０の第１の対向面である底部６０、７０とシート取付部２００の第２の対向面である突部２４０、２５０とで清掃用シート１１０を挟み込み、嵌合を終了させる。以上のようにして、清掃用シート１１０は掃除具１００に装着される。このように、シート取付部２００にシート固定部を備えなくても、ヘッド部１０を取り付けるときに対向面の間に清掃用シート１１０が挟み込まれることで、ずれにくく、清掃用シート１１０を確実に装着させることが可能となる。また、シート取付部２００の穴部２８、２９に対応する場所に、清掃用シート１１０の端部が存在するような構成とすることもでき、その場合、清掃用シート１１０が突起部８、９と穴部２８、２９に巻き込まれることで清掃用シート１１０の装着が一層確実になる。
【００３３】
＜変形例２＞
次に、掃除具１００の変形例２である掃除具１０２について説明する。図７に示すように、変形例２に係る掃除具１０２は、変形例１に対して、シート固定部２６、２７が追加されている。変形例１に対して更にシート固定部２６、２７を付加することで、清掃用シート１１０を更に確実に装着させることが可能となる。
【００３４】
なお、変形例１、変形例２に係る掃除具１０１、１０２において、突起部８、９と穴部２８、２９は逆でも良い。
【符号の説明】
【００３５】
１００  掃除具
１  ヘッド部
２  柄
３  凸部（第１嵌合部）
３ａ  下面部
３ｂ  側面部
６、７  底部（第１対向面）
２０  シート取付部
２１  凹部（第２嵌合部）
２１ａ  上面部
２１ｂ  側面部
２４、２５  突部（第２対向面）
２６、２７  シート固定部
１０１、１０２  掃除具
１０  ヘッド部
３０  凸部
４０、５０  側面部
６０、７０  底部（第１対向面）
８、９  突起部
２００、２０１  シート取付部
２１０  凹部
２２０、２３０  側面部
２４０、２５０  突部（第２対向面）
２８、２９  穴部
１１０  清掃用シート
【図１】
0005851182.tif 000002
【図２】
0005851182.tif 000003
【図３】
0005851182.tif 000004
【図４】
0005851182.tif 000005
【図５】
0005851182.tif 000006
【図６】
0005851182.tif 000007
【図７】
0005851182.tif 000008